(57)【要約】【課題】本発明は、口腔から体内に差込んで痰等の異物を吸引除去する吸引器構造において、できるだけ操作と同時に強陰圧を発生させて、短時間に痰を吸引除去することができる吸引器構造を提供することを目的とする。【解決手段】吸引器１０の構造において吸引ノズル部１４に近接した位置に切換え弁（１６）を設定しているため、吸引ノズル部１４内の空気を吸引するだけで、即座に、吸引ノズル部１４の先端１４ｃに強陰圧を発生させることができる。【選択図】図３
2008237841.tif 000002
【特許請求の範囲】
【請求項１】
口腔から体内に差込んで痰等の異物を吸引除去する吸引器構造であって、
常時陰圧を発生する吸引装置に連結された吸引管を固定する固定部と操作者が把持するクリップ部とを備える本体部と、
前記吸引管に連通されて被吸引者の口腔内に差込むノズル部と、
前記本体部に軸支されて弾性部材によって付勢される操作レバーと、
該操作レバーの操作に応じて前記ノズル部の後方位置で吸引管の連通状態と非連通状態を切換える切換え弁とを備えた
吸引器構造。
【請求項２】
前記ノズル部の長さを１０〜１５ｃｍに設定した
請求項１記載の吸引器構造。
【請求項３】
前記ノズル部の先端を前下がりに傾斜させる屈曲部を設けた
請求項１又は２記載の吸引器構造。
【請求項４】
前記ノズル部の先端に弾性部材を装着した
請求項１〜３いずれか記載の吸引器構造。
【請求項５】
前記ノズル部を覆うように可撓性筒状体を設け、
前記操作レバーの操作に応じて、該可撓性筒状体を伸縮させる伸縮駆動手段を備えた
請求項１〜４いずれか記載の吸引器構造。
【請求項６】
前記伸縮駆動手段の駆動力を金属製長尺部材で得た
請求項５いずれか記載の吸引器構造。
【発明の詳細な説明】
【技術分野】
【０００１】
この発明は、口腔から体内に差込んで痰等の異物を吸引除去する吸引器構造に関する。
【背景技術】
【０００２】
従来より、気管切開者、重病者、あるいは老人等においては、痰等の異物を気管から体外に排出するために、介護者等によって吸引除去する必要がある。  
この吸引除去作業は、一般に、吸引カテーテル等を口腔内に差込んで、吸引装置によって吸引カテーテルに陰圧（負圧）を発生させて、痰等の異物を除去する。
【０００３】
こうした作業は、介護者に負担がかかり、また感染症等のおそれもあるため、できるだけ、簡便且つ衛生的に行なうことが求められる。
【０００４】
この点、例えば、下記特許文献１には、この痰吸引作業を簡便且つ衛生的に行いうる吸引器具が提案されている。この吸引器具は、家庭用掃除機のホースの先端に装着して、家庭用掃除機の発生する吸引力を利用して、ピストル型の本体内に掃除機の吸引力を導入して、ピストル型本体の先端に設けたノズル部分から痰等の異物を吸引するように構成している。
【０００５】
この吸引器具によると、介護者は、ピストル型本体を片手で持って作業を行なうことができるため、簡便且つ衛生的に吸引除去を行なうことができる。
【０００６】
【特許文献１】実開平６−１９７４１号公報
【発明の開示】
【発明が解決しようとする課題】
【０００７】
ところで、痰吸引作業においては、吸引操作と同時に強陰圧で吸引を開始して、極めて短時間で痰を吸引除去して、その後、直ちに吸引を停止することが求められる。なぜなら、短時間で痰を吸引除去することで、被吸引者（気管切開者等）にできるだけ身体的負担や精神的負担を与えることなく、痰吸引を行なうことができるからである。
【０００８】
この点、前述の特許文献１の吸引器具の場合には、家庭用掃除機の吸引力を利用していることから、吸引操作の開始と同時に先端のノズル部分に強陰圧を発生させることができない。  
また、この吸引器具の操作レバーは、単に、本体側部に開口した吸引力調整口を開閉するものに過ぎないため、即座に強陰圧を発生させる操作手段にはなり得ず、短時間で痰を吸引除去することができなかった。
【０００９】
そこで、本発明は、口腔から体内に差込んで痰等の異物を吸引除去する吸引器構造において、できるだけ操作と同時に強陰圧を発生させて、短時間に痰を吸引除去することができる吸引器構造を提供することを目的とする。
【課題を解決するための手段】
【００１０】
この発明の吸引器構造は、口腔から体内に差込んで痰等の異物を吸引除去する吸引器構造であって、常時陰圧を発生する吸引装置に連結された吸引管を固定する固定部と操作者が把持するクリップ部とを備える本体部と、前記吸引管に連通されて被吸引者の口腔内に差込むノズル部と、前記本体部に軸支されて弾性部材によって付勢される操作レバーと、該操作レバーの操作に応じて前記ノズル部の後方位置で吸引管の連通状態と非連通状態を切換える切換え弁とを備えたものである。
【００１１】
上記構成によれば、操作者が操作レバーを操作することによって、ノズル部の後方位置に設けた切換え弁で、吸引管の連通状態と非連通状態を切換えることになる。  
このため、ノズル部に近接した位置で陰圧を即座に発生させることができ、操作開始時にノズル部内だけ正圧であるため、極めて短時間でノズル部先端に強陰圧を発生させることができる。  
なお、吸引装置については、どのようなものであってもよく、特に限定されないが、自動的に強陰圧（例えば、３９．２ｋＰａ（４００ｃｍＨ２Ｏ）程度）を発生することができる吸引装置が望ましい。
【００１２】
この発明の一実施態様においては、前記ノズル部の長さを１０〜１５ｃｍに設定したものである。  
上記構成によれば、ノズル部の長さが１０〜１５ｃｍであるため、口腔からノズル部を全て差込まなくても、下部咽頭内にノズル部先端を位置させることができる。また、必要以上にノズル部を長く設定しないため、ノズル部内の空気量を少なくでき、ノズル部先端の強陰圧の即時発生に影響を与えることもない。  
よって、操作者が被吸引者の口腔内に手を入れることなく、衛生的に痰等の吸引作業を行いつつも、即時の吸引が可能となり、被吸引者の負担を軽減することができる。
【００１３】
この発明の一実施態様においては、前記ノズル部の先端を前下がりに傾斜させる屈曲部を設けたものである。  
上記構成によれば、屈曲部を設けたことで、ノズル部の先端が前下がりに傾斜するため、操作者が被吸引者の口腔内にノズル部を差込む際に、仰向けに寝た被吸引者の口腔の奥にノズル部の先端が当接するおそれが少なくなる。  
このため、被吸引者の身体的負担を軽減して、ノズル部を口腔内に差込むことが可能となる。  
よって、被吸引者に負担をかけることなく吸引作業を行うことができる。
【００１４】
この発明の一実施態様においては、前記ノズル部の先端に弾性部材を装着したものである。  
上記構成によれば、ノズル部の先端に弾性部材を装着したことにより、ノズル部の口腔内への差込み時に、仮に口腔内の奥にノズル部の先端が当接したとしても、被吸引者に痛みをやわらげることができる。  
よって、操作者が誤って口腔内の奥にノズル部の先端を当接させたとしても、被吸引者の身体的負担を軽減することができる。
【００１５】
この発明の一実施態様においては、前記ノズル部を覆うように可撓性筒状体を設け、前記操作レバーの操作に応じて、該可撓性筒状体を伸縮させる伸縮駆動手段を備えたものである。  
上記構成によれば、ノズル部が可撓性筒状体（例えばビニール製の筒体）で覆われ、吸引作業の操作レバーを操作することで、この可撓性筒状体を縮まりノズル部を露出させることができる。  
このため、吸引作業を行わない場合には、ノズル部が外部に露出しないため、吸引作業後に、操作者等が誤ってノズル部等に触れたとしても、体液等が付着することがない。また、細菌付着を防止するために、別途ノズル部を消毒液に浸けておく必要もない。  
よって、吸引器をより簡便に且つ衛生的に取り扱うことができる。
【００１６】
この発明の一実施態様においては、前記伸縮駆動手段の駆動力を金属製長尺部材で得たものである。  
上記構成によれば、伸縮駆動手段の駆動力を金属バネで得ることで、電動モータ等による電動駆動力よりも確実且つ迅速な駆動力が得られる。  
このため、可撓性筒状体の伸縮動作を確実且つ迅速なものにできる。  
よって、吸引作業が必要な緊急時において、可撓性筒状体が存在することによる作業遅れを防止して、迅速な吸引作業を行なうことができる。
【発明の効果】
【００１７】
この発明によれば、ノズル部に近接した位置で陰圧を即座に発生させることができ、操作開始時にノズル部内だけ正圧であるため、極めて短時間でノズル部先端に強陰圧を発生させることができる。  
よって、口腔から体内に差込んで痰等の異物を吸引除去する吸引器構造において、操作開始とほぼ同時に強陰圧を発生させて、短時間に痰を除去することができる。
【発明を実施するための最良の形態】
【００１８】
本発明の実施形態について、以下、図面に基づいて詳述する。  
図１は、第一実施形態の吸引器を用いる吸引装置のシステム図である。
【００１９】
この吸引装置１では、最上流に吸引陰圧を発生する吸引ポンプ２を設置して、吸引経路３内に陰圧が発生するように構成している。吸引ポンプ２の下流位置には逆流防止弁４を設け、発生した陰圧が吸引ポンプ２側に逆流するのを防いでいる。  
また、逆流防止弁４の下流には、二つの大型の預陰圧タンク５，６を直列に配置して吸引ポンプ２が発生させた陰圧を大量に蓄えて、吸引経路３内で強陰圧が発生できるように構成している。この吸引経路３内にはポンプ側陰圧スイッチ７を設けて、吸引経路３内に発生した陰圧が低下した場合には、逆流防止弁４を開放して吸引ポンプ２を作動させるように構成している。
【００２０】
このように構成することで、この吸引装置１では、自動的に強陰圧（例えば、３９．２ｋＰａ（４００ｃｍＨ２Ｏ）程度）を発生できるようになっている。
【００２１】
この吸引装置の最下流位置には、本実施形態の吸引器１０を設置している。
【００２２】
この吸引器１０の詳細構造を、図２及び図３により説明する。図２は、吸引器の全体側面図、図３は吸引器の全体断面図である。
【００２３】
吸引器１０は、図２に示すように、樹脂製の三ヶ月形状の柄部１１と、柄部１１の中央位置に軸支された略Ｌ字形状のハンドル部１２と、柄部１１内に固定されて吸引装置１に連通されたシリコンチューブで構成した吸引管１３と、吸引管１３の先端１３ａに固定されて柄部１１の先端に設けられる吸引ノズル部１４とを備えている。
【００２４】
前述の柄部１１は、図３に示すように内部に、吸引管１３を固定する第一固定保持部１１ａと第二固定保持部１１ｂを設けて、吸引管１３内に大きな圧力変動が生じたとしても、吸引管１３が柄部１１から容易に外れないように構成している。また、柄部１１の中央位置にはハンドル部１２を軸支する軸支穴１１ｃを穿設している。さらに、柄部１１の基端側には操作者が把持するグリップ部１１ｄ（図２参照）を設けて、操作者が容易に吸引器１０を片手で持てるように構成している。
【００２５】
前述のハンドル部１２は、柄部１１の軸支穴１１ｃに対応するようにピン挿通穴１２ａを設け、このピン挿通穴１２ａと軸支穴１１ｃを挿通する軸支ピン１５によって、揺動自在に軸支されている。また、ハンドル部１２の前端部１２ｂには、後述する切換え弁を構成する弁金具１６を二組のボルトナット１７，１７によって固定している。
【００２６】
さらに、軸支ピン１５の周りには、つるまき状のバネ材１８を組付けて、ハンドル部１２が図示するように反時計回りに回転するように付勢している。この付勢力は、弁金具１６がシリコンチューブの吸引管１３を押し潰す程度に設定している。
【００２７】
前述の吸引管１３は、円筒状の半透明のチューブ材で構成されて、柄部１１の三ヶ月形状に対応して柄部１１内に湾曲固定されている。また、吸引管１３の内部は、常時、吸引装置１から強陰圧がかかっている状態となっている。
【００２８】
前述の吸引ノズル部１４は、吸引管１３よりも小径の円筒状のカテーテルで構成されており、その基部１４ａを吸引管１３の先端１３ａに固定している。また、吸引ノズル１４は基部１４ａ近傍に屈曲部１４ｂを設けて、先端１４ｃを前下がりに傾斜(傾斜角αは約１０度)するように設定している。そして、吸引ノズル部１４はその長さを約１３ｃｍとして設定して、その吸引ノズル部１４の先端１４ｃには、円筒状のラバー製カバー部材１９を装着している。
【００２９】
前述のハンドル部１２の前端に固定される弁金具１６は、Ｌ字形のプレート部材で構成しており、先端には樹脂製のコーティング材を付着させて構成した当接部１６ａを設けている。この弁金具１６の当接部１６ａで、吸引管１３の圧迫部１３ｂを押圧するように構成している。
【００３０】
弁金具１６は、このように吸引管１３を押圧することで、「切換え弁」として構成されている。すなわち、図示するように、弁金具１６が吸引管１３の圧迫部１３ｂを押圧して吸引管１３を閉塞することで、吸引管１３の圧迫部１３ｂの上流側と下流側を非連通状態とすることができ、弁金具１６の吸引管１３の押圧を解除することで、吸引管１３の圧迫部１３ｂの上流側と下流側を連通状態とすることができる。  
このため、弁金具１６を固定したハンドル部１２を操作（引き込み操作）するだけで、吸引ノズル部１４先端に、即座に強陰圧を発生させることができる。  
なお、このハンドル部１２の操作力は、テコの原理により弁金具１６で発生している押圧力よりも軽い力でも操作できるように設定している。
【００３１】
図４は、この吸引器１０の操作模式図である。（ａ）は非連通状態の操作模式図、（ｂ）は連通状態の操作模式図である。  
（ａ）の非連通状態では、ハンドル部１２がバネ材１８により、反時計回りに付勢されているため、弁金具１６が吸引管１３を押圧して、吸引管１３を閉塞している。これにより、吸引管１３の圧迫部１３ｂの上流側まで強陰圧となっているが、圧迫部１３ｂの下流側が正圧（大気圧）となっているため、吸引ノズル部１４の先端１４ｃには吸引力が発生しない。
【００３２】
（ｂ）の連通状態では、操作者（図示せず）がハンドル部１２をバネ材１８の付勢力に抗して柄部１１側（時計回り）に引き込み操作することで、弁金具１６が吸引管１３から離間して吸引管１３を開放するため、吸引管１３の上流側の強陰圧が下流側に作用して吸引ノズル部１４の先端１４ｃに強陰圧が発生する。
【００３３】
特に、吸引ノズル部１４に近接した位置に切換え弁（１６）を設定しているため、吸引ノズル部１４内の空気を吸引するだけで、即座に、吸引ノズル部１４の先端１４ｃに強陰圧を発生させることができる。
【００３４】
図５は、この吸引器の実際の使用状態を示した模式図である。  
この図に示すように、この吸引器１０は、被吸引者Ｍの口腔Ｍａから下部咽頭Ｍｂ内部に差込むことで、下部咽頭Ｍｂ内部等にある痰等の異物Ｚを吸引除去する。
【００３５】
この吸引除去する際には、吸引ノズル部１４だけを、被吸引者の口腔Ｍａ内に差込んで吸引作業を行なう。このように吸引ノズル部１４だけを差込んでも、吸引ノズル部１４の長さを約１３ｃｍとしていることで、下部咽頭Ｍｂ付近に吸引ノズル部１４の先端１４ｃを位置させることができる。
【００３６】
そして、吸引ノズル部１４に屈曲部１４ｂを設けているため、吸引ノズル部１４を差込む際に、仰向けに寝ている被吸引者Ｍの下部咽頭Ｍｂの奥等に、吸引ノズル部１４の先端１４ｃが当接しにくくなり、被吸引者Ｍの負担を軽減することができる。さらに、この先端１４ｃにカバー部材１９を設けていることにより、仮に、被吸引者の下部咽頭の奥等に吸引ノズル部１４の先端１４ｃが当接したとしても、被吸引者Ｍの痛みをやわらげることができる。
【００３７】
こうして、吸引器１０の吸引ノズル部１４を被吸引者Ｍの口腔Ｍａ内に差込んだ状態にして、ハンドル部１２を引き込み操作を行なうことにより、口腔内の痰等の異物Ｚを、吸引ノズル部１４先端１４ｃに発生する強陰圧によって、即座に吸引器１０側に吸引除去することができ、被吸引者Ｍの体外に排出することができる。
【００３８】
そして、吸引除去した後には、ハンドル部１２を戻すと、余陰圧が吸引ノズル部１４内に残留しないため、吸引ノズル部１４の先端１４ｃの吸引力も即座に消滅する。これにより、さらに、被吸引者Ｍの身体的負担を軽減することができる。
【００３９】
また、この吸引作業後においては、消毒液の入ったコップ等（図示せず）に吸引ノズル部１４を浸けておき、吸引ノズル部１４に細菌等が付着するのを防止するのが望ましい。
【００４０】
次に、本実施形態の作用効果について説明する。  
この実施形態の吸引器１０は、常時陰圧を発生する吸引装置１に連結された吸引管１３を固定する第一固定保持部１１ａと第二固定保持部１１ｂを設けた柄部１１と、吸引管１３に連通されて被吸引者Ｍの口腔Ｍａ内に差込む吸引ノズル部１４と、柄部１１に軸支されてバネ材１８によって付勢されるハンドル部１２と、そのハンドル部１２の操作に応じて吸引ノズル部１４の後方位置で吸引管１３の連通状態と非連通状態を切換える切換え弁（１６）とを備えている。
【００４１】
これにより、操作者がハンドル部１２を操作することで、吸引ノズル部１４の後方位置に設けた切換え弁（１６）によって、吸引管１３の連通状態と非連通状態を切換えることになる。  
このため、吸引ノズル部１４に近接した位置で陰圧を即座に発生させることができ、操作開始時に吸引ノズル部１４だけが正圧であるため、極めて短時間で吸引ノズル部１４の先端１４ｃに強陰圧を発生させることができる。  
よって、口腔から体内に差込んで痰等の異物を吸引除去する吸引器構造において、操作開始とほぼ同時に強陰圧を発生させて、短時間に痰を除去することができる。
【００４２】
また、この実施形態では、吸引ノズル部１４の長さを約１３ｃｍに設定している。  
これにより、口腔から吸引ノズル部１４を全て差込まなくても、下部咽頭内に吸引ノズル部１４の先端１４ｃを位置させることができる。また、必要以上に吸引ノズル部１４を長く設定していないため、吸引ノズル部１４内の空気量を少なくでき、吸引ノズル部１４の強陰圧の即時発生に対して影響を与えることもない。  
よって、操作者が被吸引者の口腔内に手を入れることなく、衛生的に痰の吸引作業を行いつつも、即時の吸引が可能となり、被吸引者の負担を軽減することができる。
【００４３】
また、この実施形態では、吸引ノズル部１４の先端１４ｃを前下がりに傾斜させる屈曲部１４ｂを設けている。  
これにより、吸引ノズル部１４の先端１４ｃが前下がりに傾斜するため、操作者が被吸引者の口腔内に吸引ノズル部１４を差込む際に、仰向けに寝た被吸引者の口腔の奥に吸引ノズル部１４の先端１４ｃが当接するおそれが少なくなる。  
このため、被吸引者の身体的負担を軽減して、吸引ノズル部１４を口腔内に差込むことが可能となる。  
よって、被吸引者に負担をかけることなく吸引作業を行うことができる。
【００４４】
また、この実施形態では、吸引ノズル部１４の先端１４ｃにラバー製カバー部材１９を装着している。  
これにより、吸引ノズル部１４の口腔内への差込み時に、仮に口腔内の奥に吸引ノズル部１４の先端１４ｃが当接したとしても、被吸引者の痛みをやわらげることができる。  
よって、操作者が誤って口腔内の奥に吸引ノズル部１４の先端１４ｃを当接させたとしても、被吸引者の身体的負担を軽減することができる。
【００４５】
なお、このほか、被吸引者の身体的負担を軽減する構造としては、吸引ノズル部１４の先端を球面状に加工して、口腔内の奥に吸引ノズル部１４の先端が当接したとしても痛みをやわらげることも考えられる。
【００４６】
次に、第二実施形態の吸引器について、図６〜図９により説明する。図６は本実施形態の吸引器の全体側面図、図７は吸引器の全体断面図、図８は図６の断面図で、（ａ）がＡ−Ａ線矢視断面図、（ｂ）がＢ−Ｂ線矢視断面図、図９は吸引器の操作模式図である。なお、この実施形態の吸引器も、第一実施形態と同様に常時吸引を行なう吸引装置１に連結されており、また、同一の構成要素については、同一の符号を付して説明を省略する。
【００４７】
第二実施形態の吸引器１００は、第一実施形態の吸引器１０の構造に加えて、吸引ノズル部１４の周囲に伸縮自在のビニール製の筒状カバー体１０１を配置して、吸引器１００の不使用時には、吸引ノズル部１４がこの筒状カバー体１０１によって覆われるように構成して、吸引器１００の使用時には、筒状カバー体１０１が縮まり吸引ノズル部１４が露出するように構成している。
【００４８】
このように構成することで、不使用時には、吸引ノズル部１４が外部に露出しないため、吸引ノズル部１４に付着した被吸引者の唾液等の体液が、操作者等に付着することを防ぐことができ、また、吸引ノズル部１４を消毒液に浸けておく必要もない。
【００４９】
以下、筒状カバー体１０１と、筒状カバー体１０１を伸縮させる伸縮駆動機構１１０について、具体的に説明する。
【００５０】
まず、筒状カバー体１０１は、図７に示すように、柄部１１に形成した固定ボス部１１ｄに対して差込み固定するプラスチック製の第一円筒キャップ１０２と、吸引ノズル部１４の先端１４ｃよりも前方位置に位置するプラスチック製の第二円筒キャップ１０３と、これらキャップ１０２，１０３を前後端に設けた薄いビニール製の筒状体１０４で構成している。
【００５１】
また、この筒状カバー体１０１の長さは、吸引ノズル部１４の長さよりもやや長く設定しており、図６に示すように、伸長した状態で吸引ノズル部１４が全て覆うことができる長さに設定している。また、筒状カバー体１０１は、図８（ａ）に示すように、吸引ノズル部１４の周囲を取り囲むように設定している。
【００５２】
この筒状カバー体１０１は、長期間使用した後に交換できるように交換可能に構成している。この交換作業は、第一円筒キャップ１０２を固定ボス部１１ｄから取り外して、第二円筒キャップ１０３を後述する伸縮駆動機構１１０から取り外すことによって行なう。
【００５３】
このように、筒状カバー体１０１が交換できるように構成することにより、長期間にわたって吸引器１００を衛生的に使用することができる。
【００５４】
伸縮駆動機構１１０は、図７に示すように、伸縮自在の金属製の長尺プレート部材１１１と、この長尺プレート部材１１１の先端に設けられ、第二円筒キャップ１０３を保持する保持具１１２と、長尺プレート部材１１１を巻き取る円筒形状のドラム部材１１３と、このドラム部材１１３にハンドル部１２の操作力を伝達する歯車セット１１４（図６参照）と、吸引管１３の連通状態と非連通状態を切換える切換え弁１２０と、を備える。
【００５５】
前述の長尺プレート部材１１１は、ちょうど「スチール巻尺」のような薄い金属プレートで構成しており、図８（ａ）に示すように、やや上凹状に湾曲変形させることで前方への推進力（方向性）を生じさせている。
【００５６】
長尺プレート部材１１１の湾曲変形は、柄部１１先端に設けた固定ガイド部１１６によって生じさせている。この固定ガイド部１１６の下円弧形状のガイド溝１１６ａを通過させることで、長尺プレート部材１１１に湾曲変形を生じさせる。これにより、長尺プレート部材１１１が確実に吸引ノズル部１４の下方位置に位置して、前方に延びる推進力を得ている。
【００５７】
前述の保持具１１２は、図８（ｂ）に示すように、上端部１１２ａを切欠いた断面略Ｕ字形状のプラスチック製部材によって構成しており、この切欠いた上端部１１２ａから第二円筒キャップ１０３を抜き差しすることで、第二円筒キャップ１０３を着脱できるように構成している。
【００５８】
前述のドラム部材１１３は、両側端に鍔部１１３ａを形成して、この鍔部１１３ａ間の外周面１１３ｂで、長尺プレート部材１１１を巻き取るように構成している。  
また、このドラム部材１１３は、柄部１１の支持軸１１ｅに回転自在に設置されており、この支持軸１１ｅとの間には反巻取り方向（時計回り方向）に付勢するゼンマイバネ１１７を介装している。このため、ハンドル部１２からの操作力がない状態では、長尺プレート部材１１１は、図６に示すように、吸引ノズル部１４の下方で前方に伸びた状態となっている。なお、このゼンマイバネ１１７は、長尺プレート部材１１１が独自で前方に推進できる場合には、必ずしも必要ない。
【００５９】
前述の歯車セット１１４は、ドラム部材１１３の側方に固定された小歯車１１４Ａと、ハンドル部１２の側方に固定された１／４円大歯車カム１１４Ｂと、によって構成している。
【００６０】
この小歯車１１４Ａと１／４円大歯車カム１１４Ｂを噛合させることで、ハンドル部１２の操作力をドラム部材１１３に伝達している。すなわち、ハンドル部１２を引き込み操作することで、１／４円大歯車カム１１４Ｂが図示するように時計回りに回転して、この１／４円大歯車カム１１４Ｂに噛合した小歯車１１４Ａが反時計回りに回転する。この小歯車１１４Ａの反時計回りの回転により、ドラム部材１１３に反時計回りの回転が生じることになる。こうして、ハンドル部１２からの引き込み操作力が長尺プレート部材１１１の巻取り力となる。
【００６１】
なお、この小歯車１１４Ａと１／４円大歯車カム１１４Ｂを覆うように、透明な樹脂製のカバー部材１１８を柄部１１の側面に設けている（図６参照）。
【００６２】
前述の切換え弁１２０は、吸引管１３の圧迫部１３ｂに当接する当接ピン１２１と、当接ピン１２１の下方に位置して当接ピン１２１を吸引管１３側に押圧する押圧バネ１２２と、押圧バネ１２２の押圧力を調整する調整ネジ部１２３と、これらの三つの部材を保持する保持ボス部１２４と、によって構成している。また、当接ピン１２１の中央位置には、押圧方向の延びる長孔溝１２５を形成して、この長孔溝１２５にハンドル部１２の先端アーム１２ｃの係合ピン１２６を係合している。
【００６３】
なお、ハンドル部１２は、軸支ボス部１３０を介して柄部１１に対して回転自在となっており、そして、その軸支ボス部１３０の周囲にコイルバネ１３１を巻き掛けることで、図示するように、反時計回り方向に付勢されている。
【００６４】
切換え弁１２０は、当接ピン１２１に長孔溝１２５を設けていることで、ハンドル部１２との間に「あそび」を設けており、ハンドル部１２を引き込み操作しても、即座に当接ピン１２１が移動しないように設定している。すなわち、ハンドル部１２の引き込み操作の操作初期の段階では、切換え弁１２０が作動せず、操作中期以降に切換え弁１２０が作動するように設定しているのである。
【００６５】
次に、図９で、本実施形態の吸引器の操作状態（切換え弁の作動状態）を説明する。（ａ）は操作途中の操作模式図、（ｂ）は操作完了時の操作模式図である。
【００６６】
（ａ）に示すように、ハンドル部１２を引き込み操作すると、１／４円大歯車カム１１４Ｂがまず回転して、小歯車１１４Ａが回転する。これにより、ドラム部材１１３が巻取り方向に（反時計回り）に回転して、長尺プレート部材１１１がドラム部材１１３に巻き取られる。このため、第二円筒キャップ１０３が柄部１１側（手前側）に引き寄せられて、筒状カバー体１０１が縮まり吸引ノズル部１４の先端１４ｃが露出する。
【００６７】
このとき、前述のように、当接ピン１２１とハンドル部１２との間に「あそび」を設けているため、当接ピン１２１は、吸引管１３の圧迫部１３ｂを押圧したままの状態で、吸引ノズル部１４の先端１４ｃには、陰圧は発生しない。
【００６８】
よって、吸引ノズル部１４の先端１４ｃを露出させつつも、吸引ノズル部１４の先端１４ｃに陰圧を生じさせない状態にすることができる。
【００６９】
（ｂ）に示すように、さらに、ハンドル部１２を引き込み操作すると、１／４円大歯車カム１１４Ｂが回転して、小歯車１１４Ａもさらに回転する。これにより、ドラム部材１１３が巻取り方向にさらに回転することになり、長尺プレート部材１１１がほぼ完全にドラム部材１１３に巻き取られる。このため、第二円筒キャップ１０３がさらに柄部１１側（手前側）に引き寄せられることになり、吸引ノズル部１４が完全に露出する。
【００７０】
このとき、当接ピン１２１も「あそび」がなくなっているため、ハンドル部１２の引き込み操作力を受けて、吸引管１３の圧迫部１３ｂの押圧を解除することになり、吸引管１３が連通状態となり、吸引ノズル部１４の先端１４ｃに強陰圧を発生させることができる。
【００７１】
よって、吸引ノズル部１４の全体を露出させつつ、同時に吸引ノズル部１４の先端１４ｃに陰圧を生じさせることができる。
【００７２】
このように、この実施形態では、一つのハンドル部１２を引き込み操作することで、筒状カバー体１０１を縮ませつつ（収納しつつ）、吸引ノズル部１４の先端１４ｃに陰圧を生じさせることができるため、操作者は、緊急的な吸引作業を、迅速且つ確実に行なうことができる。
【００７３】
なお、前述の当接ピン１２１とハンドル部１２との間の「あそび」については、この実施形態に限定されるものではなく、この他にも、例えば、当接部材を略Ｌ字状のプレート部材で形成して、ハンドル部にこのプレート部材の一片に係合する係合部を設け、プレート部材を付勢力の強いスプリング部材で付勢する一方、ハンドル部を付勢力の弱いスプリング部材で付勢することで、ハンドル部を所定量引き込み操作した際に、係合部がプレート部材の一片に係合するように構成して「あそび」を設けるようにしてもよい。
【００７４】
このように、「あそび」を設けることで、一つのハンドル部１２によって、引き込み操作の初期には、筒状カバー体１０１を縮ませて、引き込み操作の後期には、吸引ノズル部１４の先端１４ｃに強陰圧を発生させるといったことができる。
【００７５】
以上のように、本実施形態の吸引器１００では、吸引ノズル部１４を覆うように筒状カバー体１０１を設け、ハンドル部１２の操作に応じてこの筒状カバー体１０１を伸縮させる伸縮駆動機構１１０を備えている。  
これにより、吸引ノズル部１４が筒状カバー体１０１で覆われ、ハンドル部１２を操作することで、この筒状カバー体１０１が縮まり吸引ノズル部１４が露出することになる。  
このため、吸引作業を行わない場合には、吸引ノズル部１４が外部に露出しないため、吸引作業後に、操作者等が誤って吸引ノズル部１４等に触れたとしても、体液等が付着することがない。また、吸引ノズル部１４を消毒液に浸けておく必要もない。  
よって、吸引器１００を、より簡便に且つ衛生的に取り扱うことができる。
【００７６】
また、この実施形態では、伸縮駆動機構１１０の駆動力を長尺プレート部材１１１等の金属部材で得ている。  
これにより、金属部材の付勢力等により、電動モータによる電動の駆動力よりも確実且つ迅速な駆動力を得られる。  
このため、筒状カバー体１０１の伸縮動作を確実且つ迅速なものにできる。  
よって、吸引作業が必要な緊急時において、筒状カバー体１０１が存在することによる作業遅れを防止して、迅速な吸引作業を行なうことができる。
【００７７】
なお、この伸縮駆動機構１１０の駆動力も、この長尺プレート部材１１１等に限定されるものではなく、確実且つ迅速に駆動されるものであれば、どのようなものであってもよい。
【００７８】
また、図６に示すように、この吸引器１００の柄部１１の下部には、ハンドル部１２の下部を、柄部１１側に固定するロックフック１４０を設けて、吸引器１００を吸引装置から取り外して長期間使用しない場合には、このロックフック１４０で、ハンドル部１２が柄部１１側（引き込み操作位置）に移行するように構成している。
【００７９】
このように、ハンドル部１２を柄部１１側に固定するように構成することで、吸引器１００を長期間使用しない場合には、当接ピン１２１が吸引管１３の圧迫部１３ｂを押圧しないため、圧迫部１３ｂの負荷を軽減して、吸引管１３の耐久性を高めることができる。
【００８０】
その他の作用効果については、第一実施形態と同様である。
【００８１】
以上、この発明の構成と、前述の実施形態との対応において、
この発明の本体部は、実施形態の柄部１１に対応し、
以下、同様に
ノズル部は、吸引ノズル部１４に対応し、
操作レバーは、ハンドル部１２に対応し、
可撓性筒状体は、筒状カバー体１０１に対応し、
伸縮駆動手段は、伸縮駆動機構１１０に対応するも、
この発明は、前述の実施形態に限定されるものではなく、あらゆる吸引器構造の実施形態を含むものである。
【００８２】
特に、前述の実施形態では、吸引ノズル部１４を約１３ｃｍとすることで、下部咽頭の痰等の異物を吸引するように構成しているが、この発明は、この長さに限定されるものではなく、さらに、長く細い吸引ノズル（例えば２０ｃｍ程度）に変更することで、下部咽頭よりさらに奥の気管内の異物を吸引するように構成してもよい。
【図面の簡単な説明】
【００８３】
【図１】第一実施形態の吸引器を用いる吸引装置のシステム図。
【図２】吸引器の全体側面図。
【図３】吸引器の全体断面図。
【図４】（ａ）非連通状態の操作模式図、（ｂ）連通状態の操作模式図。
【図５】吸引器の実際の使用状態を示した模式図。
【図６】第二実施形態の吸引器の全体側面図。
【図７】吸引器の全体断面図。
【図８】（ａ）Ａ−Ａ線矢視断面図、（ｂ）Ｂ−Ｂ線矢視断面図。
【図９】（ａ）操作途中の操作模式図、（ｂ）操作完了時の操作模式図。
【符号の説明】
【００８４】
１…吸引装置
１０…吸引器
１１…柄部
１２…ハンドル部
１３…吸引管
１４…吸引ノズル部
１６…弁金具
１００…吸引器
１０１…筒状カバー体
１１０…伸縮駆動機構
【図１】
2008237841.tif 000003
【図２】
2008237841.tif 000004
【図３】
2008237841.tif 000005
【図４】
2008237841.tif 000006
【図５】
2008237841.tif 000007
【図６】
2008237841.tif 000008
【図７】
2008237841.tif 000009
【図８】
2008237841.tif 000010
【図９】
2008237841.tif 000011